(57)【特許請求の範囲】
【請求項１】
地表面から鉛直方向に所要の断面積と深さとを有する空所を形成し、
得た空所内の内周壁に沿って外筒部材を装着し、この外筒部材内に保水材入りの土壌を充填するとともに、その中央部に所要の断面積と深さとを有する筒状の空隙を形成し、
前記筒状の空隙内に、少なくとも下部外周に、多数の通孔を設けた所要の長さと断面積を有し、かつ保水材入りの植生用の土壌を充填した内筒部材を配置し、
各土壌に灌水を行い、土壌中の保水材に十分な水分を保持させたのち、内筒部材内の土壌に播種又は苗の植付けをし、植物を成育させること
を特徴とする砂地等の緑地化方法。
【請求項２】
前記筒状の空隙は、
前記外筒部材の中央部に、所要の断面積と長さとを有する筒状体を鉛直に配置し、外筒部材内に保水材入りの土壌を充填したのち、前記筒状体を抜き去ることによって形成すること
を特徴とする請求項１に記載の砂地等の緑地化方法。
【請求項３】
前記筒状の空隙は、
前記外筒部材内に保水材入りの土壌を充填したのち、その中央部を地表面から鉛直に所要の断面積と深さで掘削して形成すること
を特徴とする請求項１に記載の砂地等の緑地化方法。
【請求項４】
前記地表面は、
前記外筒部材の周囲を含む一定区域を、前記内筒部材方向に向けて緩やかな下り勾配の傾斜面とすること
を特徴とする請求項１に記載の砂地等の緑地化方法。
【請求項５】
前記保水材は、
木炭、ピートモスなどの炭化物、堆肥、ソルガムや落花生などの殻、海草類、牛糞等の畜糞類、雑草、ベントナイトの中から選ばれたいずれか１種又は２種以上であること
を特徴とする請求項１に記載の砂地等の緑地化方法。
【請求項６】
前記所要の断面積と長さとを有し、保水材入りの植生用の土壌を充填した内筒部材の長さの途中を適宜の間隔で緩く結紮したのち、水中に浸漬し、少なくとも下部の外周に設けた通孔を介して、充填した保水材に十分な水分を含浸させること
を特徴とする請求項１に記載の砂地等の緑地化方法。
【請求項７】
所要の断面積と長さとを有する断熱効果のある外筒部材と、
外筒部材内に充填された保水材入りの土壌と、
この土壌の中央部に形成される空隙内に配置される所要の断面積と長さとを有し、かつ内部に充填される保水材入りの植生用の土壌が自重によって抜け落ちない構造を有し、断熱効果を有する内筒部材と、
内筒部材内に充填された保水材入りの植生用の土壌とからなること
を特徴とする請求項１に記載の砂地等の緑地化方法に用いる構造材。
【請求項８】
前記内筒部材は、
プラスチックシートで作られた筒状体、もしくはプラスチックの筒状成形体からなるものであること
を特徴とする請求項７に記載の砂地等の緑地化方法に用いる構造材。
【請求項９】
前記外筒部材は、
プラスチックシートで作られた筒状体、もしくはプラスチックの筒状成形体、塩化ビニルパイプ、サイザル麻、杉の表皮、カーボン紙、再生段ボールのいずれかからなるものであること
を特徴とする請求項７に記載の砂地等の緑地化方法に用いる構造材。
【請求項１０】
前記外筒部材は、
下部周縁に破断によって、地中に給水することができる錘を兼ねた水嚢部を設けてあること
を特徴とする請求項７に記載の緑地化方法に用いる構造材。
【請求項１１】
前記外筒部材と内筒部材が、
土壌中で分解消滅する素材からなるものであること
を特徴とする請求項７に記載の砂地等の緑地化方法に用いる構造材。
【発明の詳細な説明】
【０００１】
【発明の属する技術分野】
この発明は、降雨量に対して蒸発量が大きく乾燥が著しい砂漠、砂丘および砂地などに樹木や各種の野菜類などを根付かせて生育し、緑地化によって豊かな風土とするための砂地等の緑地化方法と、この緑地化方法に使用する構造材に関するものである。
【０００２】
【従来の技術】
砂漠、砂丘および砂地などの降雨量に対して水の蒸発量が大きく乾燥が著しい地域を緑化する方法として、従来から各種の方法が提案されている。たとえば、特公平１−６０６１３号公報には、植栽予定地の境界に堰板を打ち込み、その輪郭内の土を掘り下げて形成した凹所の底面と壁面に不透水層を形成すると共に、この凹所内に灌漑用のパイプと特定の培養土を入れて植生層を形成し、この植生層に植物の種子を播き、その表面を通気性の保護シートで覆い、さらにその上を遮光シートで覆って種子を発芽させて育成する砂漠等の緑化方法が開示されている。
【０００３】
また、特開平４−１０４７４１号公報においては、乾燥地域の土中に埋設した板体によって囲繞された隔壁部を形成し、該隔壁部内の土壌に所定割合の保水材を混合し、該隔壁部内に樹木を定植し、定植後に該隔壁部の上面を密閉し、定植した樹木の根が地中の地下水までに伸長する間、前記隔壁部内に灌水を施す乾燥地域の緑化システムが提案され、特開平６−１９７６２６号公報では、保水性と通気性を有する物質又は構造体を砂中に部分的に造成し、その上部に種子を播くか、植栽して植物の育成を図る砂地における緑化基礎工法を提案している。
【０００４】
さらに、特開昭６０−４９７２２公報においては、ガレ場、砂漠、海岸砂丘地あるいは法面などの植栽地に適宜の間隔で穴部を穿孔し、該穴部に無底の管状物に育成した樹木苗等の筒状植物を定植し、該管状物の側壁を網状、有孔または繊維状として透水性を付与し、側壁から側根、支根を伸長させ管外水分を吸収し、管内へは毛細管現象で水を吸引する植生工法を開示している。
【０００５】
【発明が解決しようとする課題】
これら公知の緑化工法において、前記特公平１−６０６１３号公報および特開平４−１０４７４１号公報に記載された緑化方法は、いずれも植物の育成に適した保水性の部分を地面に造成し、これに依存して植物の生育を図るものであるため、植生層の形成のための工事に多大の労力と費用を要し、また、灌水などの植生した植物の生育のための労力や費用も無視することができず、広大な砂漠地帯などにおける実現は期待し難い。
【０００６】
これに対し、特開平６−１９７６２６号に記載された砂地における緑化基礎工法は、保水性と通気性を有する物質又は保水性と通気性を有する構造体を、砂中に部分的に、しかも柱状に設けることによって前記した緑化方法に比して植生層の形成がきわめて容易で、経済性の点においてはきわめて有利であると考えられる。
【０００７】
しかしながら、日中の地表面における温度が７０〜８０℃で、しかも地中３０〜５０ｃｍの部位においても平均温度が４０〜５０℃となる砂漠地帯では、保水性と通気性を有する物質又は保水性と通気性を有する構造体に水分を担持させておいても、地熱によって保水材中の水分が簡単に蒸発するため、灌水施設を設ける必要性がきわめて高く、比較的気温の安定している地域においては有効であったとしても、砂漠のように日中の気温上昇が激しく、かつ水分蒸発の激しい地帯においては有効な緑化方法とはなり得ない。
【０００８】
一方、特開昭６０−４９７２２号公報に開示された植生工法は、植栽した植物の根を下方に伸ばすという点においては有効と考えられるが、前記の特開平６−１９７６２６号公報に記載の発明と同様に、砂漠のような地帯においては有効な緑化方法とはなり得ない。
【０００９】
この発明はかゝる現状に鑑み、日中の気温上昇が激しく、かつ水分蒸発の激しい熱帯乾燥地帯においても、容易に樹木や野菜類を根付かせて確実な生育によって緑地化することができる砂地等の緑地化方法と、この緑地化のための構造体材を提供せんとするものである。
【００１０】
【課題を解決するための手段】
前記の目的を達成するため、この発明の請求項１に記載する砂地等の緑地化方法は、
地表面から鉛直方向に所要の断面積と深さとを有する空所を形成し、
得た空所内の内周壁に沿って外筒部材を装着し、この外筒部材内に保水材入りの土壌を充填するとともに、その中央部に所要の断面積と深さとを有する筒状の空隙を形成し、
前記筒状の空隙内に、少なくとも下部外周に、多数の通孔を設けた所要の長さと断面積を有し、かつ保水材入りの植生用の土壌を充填した内筒部材を配置し、
各土壌に灌水を行い、土壌中の保水材に十分な水分を保持させたのち、内筒部材内の土壌に播種又は苗の植付けをし、植物を成育させること
を特徴とするものである。
【００１１】
また、この発明の請求項７に記載の砂地等の緑地化方法に用いる構造材は、
請求項１に記載の砂地等の緑地化方法に用いられるものであって、
所要の断面積と長さとを有する断熱効果のある外筒部材と、
外筒部材内に充填された保水材入りの土壌と、
この土壌の中央部に形成される空隙内に配置される所要の断面積と長さとを有し、かつ内部に充填される保水材入りの植生用の土壌が自重によって抜け落ちない構造を有し、断熱効果を有する内筒部材と、
内筒部材内に充填された保水材入りの植生用の土壌とからなること
を特徴とするものである。
【００１２】
【発明の実施の形態】
この発明の砂地等の緑地化方法は、それぞれ内部に保水材入りの土壌を充填した外筒部材と内筒部材とによる内外二重の筒部材を、緑地化せんとする土壌中に配置し、内筒部材内の植生用の土壌を外筒部材内の土壌によって地熱から断熱せしめ、植生用の土壌を湿潤状態に保持しながら、該土壌に播いた種子又は植え付けた苗の育成を図ることを最大の特徴とするものである。
【００１３】
以下、この発明にかかる砂地等の緑地化方法の工程について、図面を引用して具体的に説明する。
図１および図２は、この発明の、砂地等の緑地化方法の基本的な構成を示すもので、砂漠において緑地化せんとする地域の土壌に、地表面Ｇから垂直に所要の断面積（実質的には直径）と深さとを有する円筒状の空所Ｘを、エンジン付のアースオーガによって形成し、得た円筒状の空所Ｘの内周壁に沿って、この空所Ｘの直径とほぼ同径で、かつ空所Ｘの深さと同じ長さを有する外筒部材１を装着する。
【００１４】
ついで、この円筒状の空所Ｘ内に保水材入りの土壌Ｓ1 を充填して、その中央部に所要の断面積と深さとを有する空隙を形成する。
【００１５】
この空隙の形成に際しては、前記空所Ｘの中央部に、所要の径と長さとを有する円筒状の筒状体を鉛直に保持したのち、保水材入りの土壌Ｓ1 を充填し、しかるのち筒状体を抜き去って空隙を形成してもよく、あるいは、空所Ｘ内に土壌Ｓ1を充填したのち、前記したアースオーガを使用して、所要の径と深さとを有する空隙を掘削形成してもよい。
【００１６】
一方、前記外筒部材１内に形成した空隙の内径より若干小さな断面積を有すると共に、空隙の深さとほぼ同じ長さを有する上部が開口した円筒状の内筒部材２内に保水材を入れた植生用の土壌Ｓ2 を充填し、長さの途中を適宜の間隔を保って緩く結紮し、この結紮部２ａで充填した保水材入りの植生用の土壌Ｓ2 が下方に移動して疎密な状態となることを防止する。
【００１７】
この内筒部材２は、使用に際しては、植生用の土壌中に含まれた保水材に十分な給水をさせるため、少なくとも筒状体の下部外周部に、より好ましくは筒状体の外周部の全面に亘って、給水用の通孔３，３・・・を形成したもので、この内筒部材２を水中に浸して、保水材入りの植生用の土壌Ｓ2 を充分に湿らせ、かつ保水材に十分な水分を含浸させる。
【００１８】
このようにして内部の保水材入り土壌Ｓ2 に水分を保有させた内筒部材２を、前記外筒部材１内の中央部に形成した空隙内に挿入し、外側に存在している外筒部材１の保水材入り土壌Ｓ1 との間に隙間が生じないよう土壌を充填し、しかるのち、外筒部材１内に灌水して、土壌中の保水材に十分なる給水をして土壌Ｓ1 を湿潤状態とする。
【００１９】
この状態において、砂漠などにおいては、外筒部材１外の地温は、深さ約３０〜５０ｃｍの部位で約４０〜５０℃、外筒部材１内の土壌Ｓ1 の地温は約３０℃前後、内筒部材２内の、植生用の土壌の地温は、約２５℃前後に保たれるので、内筒部材２の上部の開口部から、植生用の土壌Ｓ2 の中に目的とする樹木や野菜類の種子を播くか、あるいは苗を植え付けるが、播種もしくは苗の植え付けは常法のとおり、内筒部材２の表面から５０ｍｍ程度下がった部位に行うことが好ましい。
【００２０】
この発明の砂地等の緑地化方法は、これに用いる外筒部材１、内筒部材２およびこれらの中に充填する保水材入りの土壌Ｓ1 、又は植生用の土壌Ｓ2 に使用する保水材などの各資材は、基本的には、設置せんとする現地にこれらを個別に持ち込み、あるいは現地で調達して、前記のように組み立てることができる。
【００２１】
この発明の砂地等の緑地化方法に用いる内筒部材および外筒部材は、内部に保水材入りの土壌を充填して所定の形態を保持することができ、断熱効果のあるものであれば、その材質に特段の制限はないが、少なくとも外筒部材の材質は、外筒部材内の土壌中の水分が、外筒部材外の土壌中に流出することを効果的に防ぐことのできる材質からなることが好ましい。
【００２２】
かゝる外筒部材としては、たとえば、使用によって比較的長く地中に留まる塩化ビニル樹脂、ポリエチレン、ポリプロピレンなどのプラスチックのシートで作られた筒状体や、当該プラスチックによって成形された筒状の成形体、塩化ビニルパイプなどを用いることができ、この材質は内筒部材にも当然適用することができる。
【００２３】
また、環境保全の見地から、生分解性プラスチックなどが使用できるほか、たとえば、サイザル麻、杉の表皮、カーボン紙、再生段ボールなどの地中で比較的容易に分解消滅する素材を使用することもできる。
【００２４】
前記内筒部材および外筒部材の形態としては、断面が円形のものゝほか、角形や楕円形など任意の断面形状の筒部材を使用することができるが、好ましくは断面円形のものである。
【００２５】
この内筒部材と外筒部材のサイズは、基本的には、緑化のための地域、気候、風土、土質、地温および地中の乾燥状態などを考慮して決定するものであるが、内筒部材と外筒部材の好ましい断面積の比率は、内筒部材／外筒部材＝１：１５〜２０である。
【００２６】
また、それらの長さは、人工的に水分の補給を行うことなく、植物自身の根によって水分を吸収し、生育することができる水分の存在する地層の深さに相当する長さとすることが好ましく、砂漠地帯においては、おおむね５００〜１５００ｍｍの範囲である。
【００２７】
前記外筒部材は、有底もしくは無底のいずれでもよく、上部は開口しているが、使用に際しては、種を播いた場合には、発芽するまで全体をシート４によって覆い、苗を植えた場合には、苗の根元部分を除く内筒部材の開口部をシートなどで覆うことによって、水分の蒸散を一層防止することができ、しかも昼夜の寒暖差によってシートの裏面に水滴が生成され、この水滴が灌水として利用できる。
なお、このシートに代えて、植物が伸び出す部位以外の部位の地表面に、小石などを置いても同様の効果がある。
【００２８】
一方、内筒部材は、基本的には有底のものであるが、充填した植生用の保水材入りの土壌が自重によって、内筒部材から抜け落ちないものであれば、必ずしも有底のものに限定されず、土壌および保水材への水分の含浸および発芽し、あるいは伸長した根が内筒部材外に伸び出させるため、内筒部材の少なくとも下部近傍の外周に、多数の通孔を設けたものを使用するが、状況によっては、この小孔は下部に限らず全周に形成してもよい。
【００２９】
この発明の砂地等の緑地化方法においては、前記図１、図２に示した基本構成に対し、外筒部材と内筒部材の、内部の各土壌の保水性能を高めて湿潤状態を保持するために、図３に示す各種の手段を付加することができる。
【００３０】
すなわち、その一つは、内筒部材２を中央に備えて地中に埋設した外筒部材１の、周囲の地表面ＧＬの一定区域ＧＬ1 を、外筒部材１を越えて内筒部材２に向けて、緩やかな下がり勾配の傾斜面を形成し、内筒部材２を中心とした凹所を形成するものである。この凹所によって、降雨による前記一定区域ＧＬ1 内の雨水を集めて外筒部材１や内筒部材２の上部に流入させ、この雨水を土壌Ｓ1 ，Ｓ2 に集めて保水させることができる。
【００３１】
他の手段は、外筒部材１の上端を余分に長く形成し、これを中央の内筒部材２に向けて折り込んで折込部１ａを設け、この折込部１ａを、内筒部材２に向けて折り込んで外筒部材１の表面を覆うもので、この手段は、前記図１で示した外筒部材１と内筒部材２の開口部をシート４で覆う手段に似ているが、開口部を覆うための前記シート４を、別途用意する必要がない点で有利である。
【００３２】
さらに、他の手段としては、外筒部材１と内筒部材２の表面に岩石の塊Ｒなどを置いて日陰を作ることである。これら外筒部材１と内筒部材２の表面に、日陰を作って蒸発を防ぐ手段により、筒部材内の土壌が乾燥防止され、長期に亘って湿潤状態を保持することができるものである。
【００３３】
この保水のための他の手段として、外筒部材１の下端周縁に水嚢部１ｂを形成し、この水嚢部１ｂ内に、水を貯留させて埋め込むことにより、外筒部材１の地中への埋め込みに際して、水の入った水嚢部１ｂが錘の役目をなし、掘削した穴の中に、外筒部材１を容易に埋め込むことができると共に、埋め込んだ水嚢部１ｂが、土中において適宜の時期に破断し、土壌に給水することができる。
【００３４】
この発明における、内筒部材および外筒部材に収容する土壌に用いる保水材としては、保水と肥料の役目を兼ねた物質であることが望ましく、木炭、ピートモスなどの炭化物、堆肥、ソルガムや落花生などの殻、海草類、牛糞等の畜糞類、雑草、ベントナイトなどが使用可能である。
【００３５】
これに配合する土壌は、現地の土壌を使用してよく、土壌と保水材との配合割合は、対象地の乾燥度などによって選択されるが、内筒部材に充填するものにおいては、土壌／保水材の容積比でおおむね１／１、外筒部材に充填するものにおいては、おおむね１／０．３〜０．５が好適である。
【００３６】
この発明の、砂地等の緑地化に適用することができる樹木類、野菜類を挙げれば下記のとおりであり、これらの中から適宜に選ぶことができる。
（１）樹木類
緑化樹木として、ギンネム、パーキンソニア、アカシヤアルビダおよびアカシヤトリテリスなど。
高木類としては、インドセダン、オオバネム、タマリンド、ナツメ、ギョリュウ、モクマオウ、ユーカリ、コタテイシおよびヒルギダマシなど。
かん木類としては、ホホバ、唐ゴマおよびシオノキなど。
花木類として、ホウオウボク、キダチベニノウゼン、黄色ニワトコ、カエサルピニア、ハイビスカス、キクョウチクトウ、ブーゲンビリア、ジャスミン、シチヘンゲ、リョクヨウピソニア、アカバピソニア、ニシキカリファ、トラノオおよびリョクヨウアカリファなど。
果樹類として、マンゴー、グァバ、オレンジ、ミカン、ポンカン、レモンやザクロ、トケイソおよびウチワサボテンなど。
【００３７】
（２）野菜類
葉菜類としては、コマツナ、パクチョイ、ホウレンソウ、モロヘイヤおよびキャベツなど。
根菜類として、カブ、ニンジン、ダイコンおよびゴボウなど。
果菜類としては、オクラ、トマト、ピーマン、シシトウ、キュウリ、カボチャおよびメロンなど。
豆類として、インゲン、エダマメ、ダイズおよびエンドウなど。
【００３８】
【作用】
一般に、砂漠などの熱帯乾燥地帯では、地域によって相違はあるが、地表面の温度がおおむね７０〜８０℃となり、地表より３０〜５０ｃｍ下がった土中の温度も、およそ４０〜５０℃位の高い温度を呈する。このような熱帯乾燥地において、これまで樹木や野菜類などの植物の生育が難しかった理由として、地温を含めた外部の環境温度が、植物の生育限界温度（高温側の温度）近くまで上昇することが挙げられ、植え付けた植物の根が、この生育限界温度に近い地温に直接曝されるために根付きが悪く、これによって、枯死ないし著しい成長阻害が生じるものと考えられる。このため、この発明の砂地等の緑地化方法および緑地化のための構造体は、播種した種子もしくは苗の、発芽生育が容易となる環境を作らんとするもので、また、灌漑などを行って、安易に植物に水が得られる状態を作り出して、結果として、根を土壌の表層部に集中させるような手段を採ることなく、植物自身が、土壌中に存在する水分を探し、永久的に植物自身で水が得られるように、根を下方に伸ばすことができる環境を作り出すものである。
【００３９】
この発明の発明者は、かゝる熱帯乾燥地帯の緑地化の資料を得るために、下記の基礎実験を行った。すなわち、人工的な気象条件を作り出すことができる環境施設内において、土壌を入れて深さ６００ｍｍの土層を形成した大型容器の内部に、
（Ａ）直径１５０ｍｍ×長さ４００ｍｍの外筒部材と、直径５０ｍｍ×長さ４００ｍｍの内筒部材のそれぞれの内側に土壌を入れて形成した二重筒を存在させた場合
（Ｂ）直径５０ｍｍ×長さ４００ｍｍの筒部材に土壌を入れた単一筒を存在させた場合
（Ｃ）筒部材を使用しない単に土壌のみとした場合
以上の（Ａ）、（Ｂ）および（Ｃ）の各々について、昼夜（６月１５日の０時から２４時まで）を通した所定時間毎の筒内の地温（表面から５０ｍｍ下がった部分の地温）の変化を調査して図４の結果を得た。
【００４０】
また、一定量の水分を含有させた筒内土壌の深さに対する含水比（％）の分布を調査して図５の結果を得た
【００４１】
上記の図４から二重筒の使用は、他の単一筒や、筒部材を使用しない場合に比べ、地温の昼夜を通した温度変化に対して、最も安定した温度変化を示し、図５から二重筒の使用は、他の単一筒や、筒部材を使用しない場合に比べ、地中深さにおける含水比分布（％）が最も優れていることが判明した。
【００４２】
これは換言すれば、二重筒における外筒部材、およびその内側の保水材入りの土壌層の存在によって、内筒部材内の保水材入りの土壌に対して優れた断熱性と、保水性が付与されているものと言える。なお、図中、Ａは二重筒の場合を、Ｂは単一筒の場合を、また、Ｃは筒部材を使用しない場合の曲線を示すものである。
【００４３】
これらの実験結果から、この発明の、砂地等の緑地化方法および緑地化のための構造材は、保水材入りの土壌が水で湿潤状態に保持され、生育限界に近い高い地温を有する外筒部材外の土壌と、外筒部材内の土壌を外筒部材で遮断し、外筒部材内の土壌からの水分の蒸発を防ぐと同時に、当該土壌を断熱層として、内筒部材内の植生用土壌の温度上昇と、水分蒸発をより効果的に防止し、植物が生育する範囲の土壌を生育に最適な温度（おおむね２５℃以下）に近づけ、かつこの土壌の乾燥を防止し、湿潤状態を保持していることが容易に認められる。
【００４４】
かゝる状態において活着促進された植物は、内筒部材内の保水材入り土壌の持つ栄養分を吸収し、内筒部材内で根を伸長させ、伸長した根は、内筒部材によって下方にのみ伸長し、下部に設けた通孔から、外筒部材内の土壌が含む水分と栄養を吸収し、やがては深い土中の部分に、降雨によって保留されている湿潤層や地下の水脈などの水分を、自身で探してその水を吸収し、これによって、枝葉を繁茂させて、短期間に砂地等の緑地化を達成するものである。
【００４５】
【実施例】
以下、実施例および比較例を示し、この発明の砂地等の緑地化方法を、さらに具体的に説明する。
＜実施例１＞
アフリカ北東部のジプチ共和国に存在する砂漠地帯において、砂漠の緑地化のための作業を下記のとおり実施した。このジプチ共和国に存在する砂漠地帯は、粘土・シルト・砂地で形成され、深さ１〜２ｍ程度の部分に湿潤層を持つものである。
まず、この砂漠の緑化を対象とした地面に、直径約１５０ｍｍ×高さ約１０００ｍｍの垂直な空所をアースオーガを使用して掘削した。この空所の内周壁に沿って、ポリエチレンシートで作った直径１５０ｍｍ×高さ１０００ｍｍの上下が開口した円筒状の外筒部材を挿入し、この外筒部材の中に、保水材としてピートモスを使用し、現地の土壌と前記ピートモスとを、容積比で１：０．５となるように配合して得た混合土壌を充填した。
この外筒部材の内部中央に、アースオーガによって直径約５０ｍｍ×深さ約９００ｍｍの垂直な空隙を掘削形成した。
【００４６】
別に、ポリエチレンシートによって、直径約５０ｍｍ×深さ約９００ｍｍの上部が開口した袋を作り、この袋の、下部約３００ｍｍの範囲の外周面に、多数の通孔を穿設して筒状体を形成した。
この筒状体の中にピートモスを保水材とし、このピートモスと現地の土壌とを、容積比で１：１となるように配合した植生用の土壌を充填し、筒状体の途中を３か所に亘って、緩く結紮して内筒部材を構成した。
【００４７】
かくして得た内筒部材を、２４時間水中に浸漬して内部の保水材に水を含ませ、これを外筒部材の中央部に形成した空隙内に挿入し、内筒部材の外周面と外筒部材内の土壌との間に、隙間が生じないよう埋めたのち、外筒部材内の土壌にも給水して、保水材中に十分なる給水を行ったのち、内筒部材内の植生用の土壌内に、上部からマメ科の常緑樹であるギンネムを播種して育成を図った。
【００４８】
＜比較例１＞
一方、外筒部材を用いることなく、前記実施例１の、保水材入り植生用の土壌を充填した内筒部材と同じ筒状体のみを使用し、この筒状体に、浸水処理を施して掘削した土壌中に埋め込み、その中にギンネムを播種して育成を図った。
【００４９】
＜比較例２＞
これら実施例１と比較例１による育成とは別に、筒状体を使用することなく、直接土壌にギンネムを播種して育成を図った。
【００５０】
前記実施例１と比較例１、および比較例２の植物の成長度について、播種から７５日後の、枝葉の成長の高さを調査し〔表１〕の結果を得た。
【００５１】
【表１】
0003855185.tif 000002
【００５２】
＜実施例２および比較例３，４＞
前記実施例１、比較例１および２において播種したギンネムに代えて、マメ科の常緑高木であるアカシヤアルビダを播種した以外は、実施例１、比較例１および２と同様にして育成を実施し、播種後７５日における伸長した枝葉の高さを調査して〔表２〕の結果を得た。
【００５３】
【表２】
0003855185.tif 000003
【００５４】
以上の表から明らかなとおり、この発明の砂地等の緑地化方法による実施例１および２は、単一の筒状体を使用して植物の育成を図った比較例１，３および筒状体を全く使用せずに、普通の方法で育成を図った比較例２，４に比べて、短期間に圧倒的に優れた育成の成績を挙げることができ、砂地等を比較的短い期間で緑地化することができた。
【００５５】
【発明の効果】
この発明の砂地等の緑地化方法は、地表面から垂直方向に掘削した土壌の空所内に、外筒部材を配置し、この外筒部材内に保水材入りの土壌を充填し、そのほぼ中央部に、筒状の空隙を形成し、該筒状の空隙内に、同じく保水材入りの植生用の土壌を充填した少なくとも下部外周に通孔を設けた内筒部材を配し、外筒部材によって、外筒部材内の土壌と外の土壌とを遮断し、外筒部材内の水分の蒸発を抑制し、外筒部材内の土壌を断熱層とすることによって、内筒部材内の植生用の土壌を、植物育成の限界を超えた地温から効果的に断熱することができる。また、植生用の土壌の湿潤状態に保持し、植生用の土壌に播いた種子又は植え付けた苗の成長に必要な水分と温度を維持し、植物自身の根が、深い土中の部分に降雨によって保留されている湿潤層や、地下の水脈などの水分を探して伸長し、その水を吸収することによって、枝葉を繁茂させ、短期間にしかも容易に砂地等を緑地化することができる。
【００５６】
特に、この発明の砂地等の緑地化方法は、保水材を混入した植生用の土壌を充填した内筒部材の外側を、保水材を含む所要の厚みの土壌で囲い、外筒部材によって外筒部材内の保水材及び土壌中の水分の蒸発を抑制し、かつこの外筒部材内の土壌を断熱層とすることによって、内筒部材内の植生用の土壌を、植物の育成には適しない地温を有する外部の土壌から断熱すると共に、この外筒部材内の土壌中の水分の蒸発によって、内筒部材内の植生用の土壌の冷却を図ることができるので、内筒部材内の植生用の土壌の温度と水分を、常に植物の育成に必要な範囲に保持することができる。
【００５７】
また、この発明の砂地等の緑地化方法は、少ない資材と工程作業によって、特段の熟練を要することなく、必要な地域を緑地化できる点で優れており、大掛かりな工事なども必要とせずに、きわめて経済的かつ効果的に砂地等の緑地化を推進することができ、砂漠などの熱帯乾燥地の緑地化に大きく貢献するものである。
【００５８】
この発明の砂地等の緑地化のための構造材は、断熱効果を有し、内部に保水材入りの土壌を充填するための外筒部材と、外筒部材内に充填された保水材入りの土壌と、この土壌の中央部に形成される空隙内に配置され、断熱効果を有し、内部に保水材入りの植生用土壌を充填するための内筒部材と、内筒部材内に充填された保水材入りの植生用の土壌と、によって構成することによって、砂漠など水分蒸発が激しく、植物の育成に適した地中温度を有しない地域の緑地化することができ、効率的に実施することができる。
【図面の簡単な説明】
【図１】  この発明の砂地等の緑地化方法の説明のための一部切欠斜視図である。
【図２】  植物の育成状態を示すための一部切欠説明図である。
【図３】  この発明の砂地等の緑地化方法の説明のための他の態様を示した一部切欠斜視図である。
【図４】  この発明の砂地等の緑地化方法に用いる構造材の内筒部材内の地温と、内筒部材のみを使用した場合の内筒部材内の地温および内筒部材を使用しない植物育成地内の地温の時間的変化を表わす説明図である。
【図５】  この発明の砂地等の緑地化方法に用いる構造材の内筒部材内の深さに対する含水比の分布と、内筒部材のみを使用した場合の内筒部材内の深さに対する含水比の分布とおよび内筒部材を使用しない植物育成地内の深さに対する含水比を比較した説明図である。
【符号の説明】
１      外筒部材
２      内筒部材
２ａ    結紮部
３      通孔
Ｓ１    外筒部材内の土壌
Ｓ２    内筒部材内の植生用の土壌
【図１】
0003855185.tif 000004
【図２】
0003855185.tif 000005
【図３】
0003855185.tif 000006
【図４】
0003855185.tif 000007
【図５】
0003855185.tif 000008